(57)【要約】【課題】袋部と内側閉じ部との境界部分からのエア漏れが抑制されたＯＰＷ方式の織物で製造されたエアバッグの提供。【解決手段】本発明のエアバッグ１は、一重織部Ｗ１と二重織部Ｗ２とを含むＯＰＷ方式で製造された織物からなるエアバッグ１であって、二重織部Ｗ２からなり、互いに向かい合う一対の織布を有する袋部４と、一重織部Ｗ１からなり、袋部４の周りを囲む周縁閉じ部５と、一重織部Ｗ１からなり、袋部４の周りを囲む周縁閉じ部５の内側に配され、周縁閉じ部５と共に袋部４を縁取る内側閉じ部６とを備え、内側閉じ部６の端部６１は、環状をなし、かつその一部に、多角形状をなした多角部分６１ａを有し、多角部分６１ａの内角が、１５０°以上である。【選択図】図２
2019104340.tif 000002
【特許請求の範囲】
【請求項１】
一重織部と二重織部とを含むＯＰＷ方式で製造された織物からなるエアバッグであって、
前記二重織部からなり、互いに向かい合う一対の織布を有する袋部と、
前記一重織部からなり、前記袋部の周りを囲む周縁閉じ部と、
前記一重織部からなり、前記袋部の周りを囲む前記周縁閉じ部の内側に配され、前記周縁閉じ部と共に前記袋部を縁取る内側閉じ部とを備え、
前記内側閉じ部の端部は、環状をなし、かつその一部に、多角形状をなした多角部分を有し、
前記多角部分の内角が、１５０°以上であるエアバッグ。
【請求項２】
前記多角部分は、前記織物の経糸方向に沿った辺と、前記織物の緯糸方向に沿った辺を有する請求項１に記載のエアバッグ。
【請求項３】
前記多角部分が、１６角形状又は２４角形状からなる請求項１又は請求項２に記載のエアバッグ。
【請求項４】
前記袋部に接続し、かつインフレーターから発生したエアを前記袋部に供給する供給路を有し、
前記多角部分は、前記供給路と対向する箇所に配される請求項１〜請求項３の何れか一項に記載のエアバッグ。
【発明の詳細な説明】
【技術分野】
【０００１】
本発明は、エアバッグに関する。
【背景技術】
【０００２】
自動車等の車両用の安全装置として、エアバッグ装置が広く用いられている。エアバッグ装置は、車両に対して外部から所定値以上の衝撃が加えられた際に、小さく折り畳まれていたエアバッグが膨張展開して乗員を衝撃から保護する装置である。この種の装置で利用されるエアバッグとしては、ワンピースウーブン（One Piece Woven：OPW）方式によって一体的に袋織りされたものが知られている（例えば、特許文献１参照）。ＯＰＷ方式で製造されたエアバッグは、袋部を構成する二重織部と、袋部の周りを囲む一重織部とを含んでいる。
【０００３】
この種のエアバッグには、袋部の膨張時の厚みや形状を調整するために、一重織部からなる閉じ部が、袋部の領域に入り込むような形で形成されている。このような閉じ部の端部は、袋部の膨張時に受ける応力を緩和する等の目的で、曲線状（特に、円形状又は円環状）に形成されている。なお、この種のエアバッグの表面には、エア漏れを防止するためのシリコーン膜が形成されている。
【先行技術文献】
【特許文献】
【０００４】
【特許文献１】特開２０１１−９９１９８号公報
【発明の概要】
【発明が解決しようとする課題】
【０００５】
しかしながら、前記閉じ部の端部の外縁が、袋部に対して円形状等の曲線で接していると、エアバッグの膨張時に、その部分を構成するＯＰＷ方式の織物の組織にある程度、大きな孔が形成されてしまう場合があった。閉じ部を構成する一重織部の経糸及び緯糸は、エアバッグの膨張時でも、互いに交差する形でしっかりと固定されている。これに対し、閉じ部との境界部分にある袋部は、一対の織布を有する二重織部からなるため、各織布の織密度が一重織部よりも小さく、しかも各織布を構成する経糸及び／又は緯糸がエアバッグの膨張時に強く引っ張られて変形し易いため、それらの間に孔が形成されてしまう。その場合、袋部の表面に形成されているシリコーン膜にも孔が形成され易い。このように、エアバッグの膨張時に、閉じ部と袋部との境界部分に孔が形成されると、その孔からエア漏れが発生し、エアバッグの内圧が低下してしまう。
【０００６】
なお、エアバッグの表面に形成するシリコーン膜の厚みを厚くすることで、エアバッグの気密性を高めることも考えられるが、製造コストが高くなってしまう。このように、ＯＰＷ方式の織物で製造されたエアバッグでは、袋部と接する閉じ部の形状を改善する余地があった。
【０００７】
本発明の目的は、袋部と内側閉じ部との境界部分からのエア漏れが抑制されたＯＰＷ方式の織物で製造されたエアバッグを提供することである。
【課題を解決するための手段】
【０００８】
本発明に係るエアバッグは、一重織部と二重織部とを含むＯＰＷ方式で製造された織物からなるエアバッグであって、前記二重織部からなり、互いに向かい合う一対の織布を有する袋部と、前記一重織部からなり、前記袋部の周りを囲む周縁閉じ部と、前記一重織部からなり、前記袋部の周りを囲む前記周縁閉じ部の内側に配され、前記周縁閉じ部と共に前記袋部を縁取る内側閉じ部とを備え、前記内側閉じ部の端部は、環状をなし、かつその一部に、多角形状をなした多角部分を有し、前記多角部分の内角が、１５０°以上である。
【０００９】
前記エアバッグにおいて、前記多角部分は、前記織物の経糸方向に沿った辺と、前記織物の緯糸方向に沿った辺を有することが好ましい。
【００１０】
前記エアバッグにおいて、前記多角部分が、１６角形状又は２４角形状からなることが好ましい。
【００１１】
前記エアバッグにおいて、前記袋部に接続し、かつインフレーターから発生したエアを前記袋部に供給する供給路を有し、前記多角部分は、前記供給路と対向する箇所に配されることが好ましい。
【発明の効果】
【００１２】
本発明によれば、袋部と内側閉じ部との境界部分からのエア漏れが抑制されたＯＰＷ方式の織物で製造されたエアバッグを提供することができる。
【図面の簡単な説明】
【００１３】
【図１】実施形態１のエアバッグが平面状に展開された状態を示す説明図
【図２】図１に示される内側閉じ部の端部の拡大図
【図３】一重織部と二重織部の布目角度を模式的に表した説明図
【図４】膨張前の比較例１のエアバッグにおける、一重織部からなる内側閉じ部の端部と、二重織部からなる袋部との境界部分であって、それらの布目角度が１１．３°である場合の説明図
【図５】図４に示される比較例１のエアバッグが膨張して、内側閉じ部の端部と、袋部との境界部分に隙間が発生する様子を示す説明図
【図６】実施形態１，２及び比較例２，３の各多角部分の情報がまとめて示される表
【図７】実施形態１，２及び比較例２〜４の各エアバッグのエアリーク量の試験結果を示すグラフ
【発明を実施するための形態】
【００１４】
＜実施形態１＞
以下、本発明の実施形態１に係るエアバッグ１を、図１〜図３を参照しつつ説明する。図１は、実施形態１のエアバッグ１が平面状に展開された状態を示す説明図である。本実施形態のエアバッグ１は、車両用のカーテンエアバッグ装置に利用されるカーテンエアバッグである。なお、図１の左側は車両前方側に対応し、図１の右側は車両後方側に対応する。また、図１の上側は、車両上方側に対応し、図１の下側は、車両下方側に対応する。
【００１５】
エアバッグ１は、全体的には、車両前後方向に沿って長く延びた概ね矩形状をなしている。エアバッグ１は、車両に対して外部から所定値以上の衝撃が加えられた際（例えば、ロールオーバーや斜め衝突の際）に、図示されないインフレーターからガスが供給されることにより、車室側部に沿って膨張展開し、車両のサイドウインドガラスやセンターピラー（Ｂピラー）を覆いつつ、乗員を保護する。
【００１６】
なお、通常時のエアバッグ１は、長手方向（車両前後方向）に沿って細長く延びた形となるように折り畳まれており、そのように折り畳まれた状態で、車室側部の上端部にあるルーフサイド部にインフレーターと共に収納される。
【００１７】
このようなエアバッグ１は、ＯＰＷと略称されるワンピースウーブン（One Piece Woven）方式によって製造される袋状の織物からなる。ＯＰＷ方式では、二枚の布を同時に製織（二重織）しながら、必要な箇所を一重織することで、無縫製の袋体が形成される。つまり、エアバッグ１に利用されるＯＰＷ方式で製造された織物は、一重織部と二重織部とを有する。なお、一重織部及び二重織部は共に平織であり、一重織部の織密度は、二重織部よりも高い。エアバッグ１を構成する織物の経糸（縦糸）は、長手方向（車両前後方向）に配され、緯糸（横糸）は、短手方向（車両上下方向）に配されている。そして、前記織物の経糸の織密度は、５４．５本／インチであり、緯糸の織密度は、４５．５本／インチである。前記織物の経糸及び緯糸は、ポリエステル等の合成繊維からなる。
【００１８】
また、エアバッグ１に利用されるＯＰＷ方式の織物の各表面（両面）には、それぞれ公知の手法により、シリコーン膜（不図示）が形成されている。原反状のＯＰＷ方式の織物は、両面にシリコーン膜が形成された後、エアバッグ１を形成するために所定形状に裁断される。
【００１９】
エアバッグ１は、車両前後方向に沿って延びた略矩形状の袋体からなる本体部２と、この本体部２から外側にはみ出た部分からなり、インフレーターからのガスが供給される供給部３とを備えている。供給部３は、長手方向に延びた本体部２の上方側の縁部の略中央に設けられている。
【００２０】
エアバッグ１は、本体部２に設けられ、ＯＰＷ方式で製造された二枚の織布（二重織部）からなる袋部４を備えている。図１には、袋部４を構成する互いに向かい合った一対の織布のうち、表側の織布４１が示されている。また、エアバッグ１は、ＯＰＷ方式で製造された一重織部からなり、袋部４の周りを囲む周縁閉じ部５と、ＯＰＷ方式で製造された一重織部からなり、袋部４を囲む周縁閉じ部５の内側に配され、膨張時の袋部４の形状や厚みを調整する内側閉じ部６とを備えている。内側閉じ部６は、図１に示されるように、エアバッグ１を展開して平面状に見た際、袋部４の領域に入り込むような形をなしている。内側閉じ部６は、周縁閉じ部５と共に、袋部４の周りを縁取るように形成されている。
【００２１】
内側閉じ部６としては、本体部２の車両前方側に形成される内側閉じ部６ａと、本体部２の略中央に形成される内側閉じ部６ｂと、本体部２の略中央側から車両後方側に亘って形成される内側閉じ部６ｃとを備えている。各内側閉じ部６の端部６１，６２，６３，６４は、それぞれ環状に形成されている。なお、内側閉じ部６の端部６１は、後述するように、環状部分の一部が多角形状（１６角形状）の一部をなすように形成されている。
【００２２】
供給部３は、膨張時に概ね筒状をなす部分であり、本体部２の袋部４と繋がっている。供給部３の入り口３ａは、車両後方側を向く形となっている。供給部３の側縁部には、ＯＰＷ方式で製造された一重織部からなり、かつ周縁閉じ部５と繋がる供給部用閉じ部３ｂが形成されている。
【００２３】
供給部３の入り口３ａには、図示されないインフレーターが取り付けられる。インフレーターから噴出されたガスは、供給部３を介して本体部２の袋部４内に供給される。なお、供給部３の内部には、図示されないディフューザが設けられており、インフレーターから噴出されガスは、ディフューザによって、車両前方側及び車両後方側に分配される。図１に示されるように、供給部３を介して袋部４内に供給されるインフレーターからのガスの一部は、本体部２の車両前方側に形成される内側閉じ部６ａの端部６１側に向かって供給される（図１中の矢印Ｇ参照）。すると、内側閉じ部６ａと他の内側閉じ部６ｂとの間に形成される袋部４の一部からなる部分袋部４ａ等が勢いよく膨張する。
【００２４】
図２は、図１に示される内側閉じ部６ａの端部６１の拡大図である。図２に示されるように、内側閉じ部６ａの端部６１は、所定の線幅で描かれた環状をなし、かつその一部が、１６角形状の一部をなしている。上述したように、内側閉じ部６ａ等の内側閉じ部６は、ＯＰＷ方式で製造された一重織部Ｗ１からなり、袋部４は、ＯＰＷ方式で製造された二重織部Ｗ２からなる。なお、袋部４の周りを囲む周縁閉じ部５も、内側閉じ部６と同様、ＯＰＷ方式で製造された一重織部Ｗ１からなる。なお、内側閉じ部６の環状の端部６１の内側は、二重織部Ｗ２からなるものの、膨張しない。また、本体部２のうち、周縁閉じ部５の外側にある余白部分は、二重織部が部分的に接続されている接結部となっている。
【００２５】
環状をなした端部６１のうち、１６角形状をなした多角部分６１ａは、端部６１の約５０％を占める部分である。多角部分６１ａの外縁（袋部４に接する側の縁）は、経糸方向（図２の左右方向）又は緯糸方向（図２の上下方向）に対して、０°、２６．６°、又は４５°の角度をなしている。つまり、多角部分６１ａの外縁は、経糸方向又は緯糸方向に対して、０°の角度をなす線、２６．６°の角度をなす線、及び４５°の角度をなす線の３種類の線によって表現されている。なお、多角部分６１ａは、織物の経糸方向に沿った辺（経糸方向に対して０°をなす辺）と、織物の緯糸方向に沿った辺（緯糸方向に対して０°をなす辺）を有する。
【００２６】
図３は、一重織部Ｗ１と二重織部Ｗ２の布目角度を模式的に表した説明図である。図３（Ａ）は、一重織部Ｗ１と二重織部Ｗ２の布目角度が０°の場合の説明図であり、図３（Ｂ）は、一重織部Ｗ１と二重織部Ｗ２の布目角度が１１．３°の場合の説明図であり、図３（Ｃ）は、一重織部Ｗ１と二重織部Ｗ２の布目角度が１８．４°の場合の説明図であり、図３（Ｄ）は、一重織部Ｗ１と二重織部Ｗ２の布目角度が２６．６°の場合の説明図であり、図３（Ｅ）は、一重織部Ｗ１と二重織部Ｗ２の布目角度が３３．７°の場合の説明図であり、図３（Ｆ）は、一重織部Ｗ１と二重織部Ｗ２の布目角度が４５°の場合の説明図である。
【００２７】
図３に示される格子で区切られたマス目の１つが、１本の経糸と１本の緯糸が交差する箇所を表している。また、着色されていないマス目の部分が、袋部を構成する二重織部Ｗ２の外縁（境界部分）に対応し、着色されているマス目の部分が、周縁閉じ部を構成する一重織部Ｗ１の外縁（境界部分）に対応する。なお、図２に示される本実施形態における内側閉じ部６ａの多角部分６１ａは、図３（Ａ）、図３（Ｄ）及び図３（Ｆ）に示される各布目角度０°、２６，６°、及び４５°によって表現されている。
【００２８】
本実施形態のエアバッグ１は、膨張展開時に、内側閉じ部６の端部６１と袋部４との境界部分の織物に、孔が形成されることが抑制される。例えば、インフレーターからガスが供給されて、袋部４（例えば、内側閉じ部６ａと他の内側閉じ部６ｂとの間に形成される袋部４の一部からなる部分袋部４ａ）が勢いよく膨張して、一重織部Ｗ１（端部６１ａ）との境界部分における二重織部Ｗ２（部分袋部４ａ）の各経糸及び各緯糸が引っ張られても、その部分（内側閉じ部６ａの端部６１に接する袋部４の部分）にエア漏れの原因となる隙間が形成されることが抑制される。
【００２９】
＜比較例１＞
次いで、図４及び図５を参照しつつ、比較例１のエアバッグの膨張時に、内側閉じ部の端部と、袋部との境界部分で生じる隙間Ｓについて説明する。図４は、膨張前の比較例１のエアバッグにおける、一重織部Ｗ１からなる内側閉じ部６Ｐの端部６１Ｐと、二重織部Ｗ２からなる袋部４Ｐとの境界部分であって、それらの布目角度が１１．３°である場合の説明図であり、図５は、図４に示される比較例１のエアバッグが膨張して、内側閉じ部の端部と、袋部との境界部分に隙間Ｓが発生する様子を示す説明図である。
【００３０】
ここで説明する比較例１のエアバッグは、内側閉じ部６Ｐの端部６１Ｐの一部が、多角部分６１Ｐａとなっているものの、その多角部分６１Ｐａの外縁は、経糸（図４及び図５の左右方向）又は緯糸（図４及び図５の上下方向）に対する角度が１１．３°である部分を含んでいる。なお、この比較例１のエアバッグは、多角部分６１Ｐａの構成以外は、上記実施形態１のエアバッグ１と同じである。
【００３１】
図４に示されるように、一重織部Ｗ１からなる内側閉じ部６Ｐの多角部分６１Ｐａは、格子状に区切られたマス目のうち、着色されたマス目によって表現されている。これに対し、二重織部Ｗ２からなる袋部４Ｐは、説明の便宜上、マス目よりも小さな縦長及び横長の矩形によって示されている。図４及び図５において、袋部４Ｐは、経糸方向に長い矩形と、緯糸方向に長い矩形とが、交互に並ぶ形で表現されている。ここでは、経糸方向に長い複数の矩形が並ぶことで、経糸が表現され、また、緯糸方向に長い複数の矩形が並ぶことで、緯糸が表現されている。
【００３２】
図５に示されるように、比較例１のエアバッグが膨張すると、内側閉じ部６Ｐの多角部分６１ａに隣接する袋部４Ｐを構成する経糸及び緯糸が引っ張られる。すると、図５に示されるように隣り合った経糸の間に、エア漏れの原因となる隙間Ｓが形成される。また、図５に示されていないものの、場所によっては、隣り合った緯糸の間に隙間が形成される。内側閉じ部６Ｐを構成する一重織部Ｗ１は、エアバッグが膨張しても、その経糸及び緯糸は互いに交差した形で固定されており、エアが漏れるような隙間は形成されない。しかしながら、このような一重織部Ｗ１に対して、所定の角度で、二重織部Ｗ１からなる袋部４Ｐが隣接していると、そのような袋部４Ｐには、上記のように、エアバッグの膨張時に、袋部４Ｐを構成する経糸や緯糸の間に、隙間が形成されてしまう。
【００３３】
＜実施形態２＞
上記実施形態１のエアバッグ１における内側閉じ部６ａの多角部分６１ａの形状を、１６角形から２４角形に変更したこと以外は、上記実施形態１と同様の構成のエアバッグ（実施形態２のエアバッグ）を作製した。なお、実施形態２の内側閉じ部の多角部分の外縁は、経糸方向又は緯糸方向に対して、０°、１８．４°、２６．６°又は４５°をなしている。つまり、実施形態２の前記多角部分の外縁は、経糸方向又は緯糸方向に対して、０°の角度をなす線、１８．４°の角度をなす線、２６．６°の角度をなす線及び４５°の角度をなす線の４種類の線によって表現されている。
【００３４】
＜比較例２＞
上記実施形態１のエアバッグ１における内側閉じ部６ａの多角部分６１ａの形状を、１６角形から８角形に変更したこと以外は、上記実施形態１と同様の構成のエアバッグ（比較例２のエアバッグ）を作製した。なお、比較例２の内側閉じ部の多角部分の外縁は、経糸方向又は緯糸方向に対して、０°又は４５°をなしている。つまり、比較例２の前記多角部分の外縁は、経糸方向又は緯糸方向に対して、０°の角度をなす線、及び４５°の角度をなす線の２種類の線によって表現されている。
【００３５】
＜比較例３＞
上記実施形態１のエアバッグ１における内側閉じ部６ａの多角部分６１ａの形状を、１６角形から４０角形に変更したこと以外は、上記実施形態１と同様の構成のエアバッグ（比較例３のエアバッグ）を作製した。なお、比較例３の内側閉じ部の多角部分の外縁は、経糸方向又は緯糸方向に対して、０°、１１．３°、１８．４°、２６．６°、３３．７°又は４５°をなしている。つまり、比較例３の前記多角部分の外縁は、経糸方向又は緯糸方向に対して、０°の角度をなす線、１１．３°の角度をなす線、２６．６°の角度をなす線、３３．７°の角度をなす線、及び４５°の角度をなす線の６種類の線によって表現されている。
【００３６】
＜比較例４＞
上記実施形態１のエアバッグ１における内側閉じ部６ａの多角部分６１ａの形状を、１６角形から円形に変更したこと以外は、上記実施形態１と同様の構成のエアバッグ（比較例４のエアバッグ）を作製した。
【００３７】
なお、実施形態１，２及び比較例２，３の各多角部分に利用される多角形状、多角部分の外角と内角との関係、構成角度（外角）及び構成角度（内角）を表にまとめたものを図６に示した。
【００３８】
＜エアリーク量の確認試験＞
上記実施形態１，２及び比較例２〜４の各エアバッグについて、以下に示される方法で、エアリーク量を測定した。測定結果は、図７に示した。
【００３９】
圧力測定器を介してエア源に接続されたホースの先端を、供給路の入り口からエアバッグ内に挿入した。なお、ホースの先端には、エアバッグ内の圧力を測定するための圧力センサが取り付けられている。次いで、ホースを挿入した状態で、供給路の入り口をかしめて、エアバッグ内のエアが供給路の入り口から外部に漏れない状態にした。その後、エア源からホースを介してエアバッグ内にエアを供給し、エアバッグを膨張させた。そして、圧力測定器のエア圧力表示が０ｋＰａであることを確認し、そこからエアバッグ内に所定圧力のエアを供給して、エアバッグ内の圧力（ｋＰａ）と、エアリーク量（Ｌ／ｍｉｎ）を測定した。なお、エアリーク量（Ｌ／ｍｉｎ）は、ホースを介してエアバッグ内に供給されるエア供給量として、ホースの途中に設けられている流量計により計測される。徐々にエアの供給圧力を高くしながら、エアバッグ内の圧力（ｋＰａ）と、エアリーク量（Ｌ／ｍｉｎ）を計測し、最終的に、エアの供給圧力が１００ｋＰａとなるまで、エアバッグ内の圧力（ｋＰａ）と、エアリーク量（Ｌ／ｍｉｎ）の計測を行った。
【００４０】
図７は、実施形態１，２及び比較例２〜４の各エアバッグのエアリーク量の試験結果を示すグラフである。図７に示されるグラフの横軸は、エアバッグ（袋部）の内圧（ｋＰａ）を表し、その縦軸は、エアバッグ（袋部）からのリーク量（Ｌ／ｍｉｎ）を表す。図７のグラフに示されるように、内側閉じ部の多角部分の形状が、１６角形である場合と、２４角形である場合、内側閉じ部の端部が円環状である比較例４の場合と比べて、エアリーク量が少なくなることが確かめられた。なお、実施形態１，２の多角部分の内角は、１５０°以上となっている。
【００４１】
これに対し、内側閉じ部の多角部分の形状が８角形である比較例２の場合と、４０角形である比較例３の場合は、内側閉じ部の端部が円環状である比較例４の場合と比べて、エアリーク量が多くなることが確かめられた。比較例２の場合、多角部分の内角が、１３５°であり、その角部付近の袋部に孔が形成されるため、エアリークが生じたものと推測される。比較例３の場合、多角部分を構成する外角として、１１．３°、３３．７°が利用されている（図３（Ｂ）、図３（Ｅ）参照）。これらの外角は、他の外角と比べて、織物に隙間が形成され易いため、エアリークが生じたものと推測される。
【００４２】
＜他の実施形態＞
本発明は上記記述及び図面によって説明した実施形態に限定されるものではなく、例えば次のような実施形態も本発明の技術的範囲に含まれる。
【００４３】
（１）本発明のエアバッグは、本発明の目的を損なわない限り、特に制限はなく、例えば、サイドエアバッグ、ニーエアバッグ、運転席エアバッグ、助手席エアバッグ、ＩＴＳヘッド・エアバッグ、歩行者保護エアバッグ等の車両用エアバッグに利用される。また、本発明のエアバッグは、本発明の目的を損なわない限り、車両用以外のエアバッグに利用されてもよい。
【００４４】
（２）上記実施形態１等では、内側閉じ部のうち、本体部の車両前方側に形成されるものの端部のみに、多角部分が設けられていたが、他の実施形態においては、他の箇所の内側閉じ部の端部に、多角部分が形成されてもよい。
【００４５】
（３）上記実施形態１等において、多角部分は、内側閉じ部の端部の約５０％を占めるように形成されていたが、本発明の目的を損なわない限り、多角部分が１つの端部に占める割合は制限されないが、例えば、３０％以上が好ましく、４０％以上がより好ましい。
【符号の説明】
【００４６】
１…エアバッグ（カーテンエアバッグ）、２…本体部、３…供給部、４…袋部、５…周縁閉じ部、６…内側閉じ部、６１…内側閉じ部の端部、６１ａ…多角部分、Ｓ…隙間、Ｗ１…一重織部、Ｗ２…二重織部
【図１】
2019104340.tif 000003
【図２】
2019104340.tif 000004
【図３】
2019104340.tif 000005
【図４】
2019104340.tif 000006
【図５】
2019104340.tif 000007
【図６】
2019104340.tif 000008
【図７】
2019104340.tif 000009